(57)【要約】異なる切断幅を与えるよう、カバー手段を使用することが提案される。該カバー手段は、切断幅を低減するために切断ユニットの切断部材を部分的に覆うよう刈込み装置の筐体及び／又は切断ユニット上に取り付けられる。カバー手段は、例えば、切断ユニットにおいて一体化される可動のカバー部又はコームユニットであり得る。
2008502406.tif 000002
【特許請求の範囲】
【請求項１】
刈込み装置であって、
・  筐体と、
・  所定の切断幅を与える１つ又はそれ以上の切断部材を有する前記筐体の一端における切断ユニットと、
・  前記切断幅を低減するよう前記切断部材を覆うよう前記筐体及び／又は前記切断ユニット上に取り付けられるカバー手段と、
を有する、
刈込み装置。
【請求項２】
前記カバー手段は、前記筐体及び／又は前記切断ユニットに対して取付け可能であるコームユニットとして構成される、
請求項１記載の刈込み装置。
【請求項３】
前記コームユニットは、閉鎖隙間を有する歯部を有し、前記切断ユニット部材を保護する
請求項２記載の刈込み装置。
【請求項４】
前記カバー手段は、前記切断ユニットに対して取付け可能である、
請求項１記載の刈込み装置。
【請求項５】
前記カバー手段は、前記切断ユニット及び／又は前記筐体に対して固定され、前記所定の切断幅を与える位置と、低減された切断幅を与える位置との間で動かされ得る、
請求項１記載の刈込み装置。
【請求項６】
前記カバー手段は、前記切断ユニットへと一体化される、
請求項５記載の刈込み装置。
【請求項７】
前記カバー手段は、２つ又はそれ以上の部分を有し、
前記低減された切断幅は、前記２つの部分の距離と等しい、
請求項１記載の刈込み装置。
【請求項８】
前記カバー手段は、前記切断部材に対して垂直である方向において独立して可動であり、各々が低減された切断幅を定める、２つ又はそれ以上の部分を有する、
請求項１記載の刈込み装置。
【請求項９】
前記カバー手段は、前記筐体に対して前記切断部材の覆われた部分の位置を変更するよう、前記切断部材に対して実質的に平行である方向において可動である、
請求項１記載の刈込み装置。
【請求項１０】
請求項１乃至９記載の刈込み装置に対するコームユニットであって、
前記切断幅を低減するよう前記切断ユニットの前記１つ又はそれ以上の切断部材を覆うよう前記筐体及び／又は前記切断ユニットに対して取付け可能であり、
閉鎖隙間を有する歯部を有し、前記切断部材を保護する、
コームユニット。
【発明の詳細な説明】
【技術分野】
【０００１】
本発明は、毛髪の切断、ひげのトリミング、又は動物のトリミングに対して使用される刈込み装置、及びかかる刈込み装置に対するコームユニットに係る。
【背景技術】
【０００２】
刈込み装置は、特には短い毛髪及び耳の周りの毛髪を切断するよう、あるいはひげをトリミングするよう広く使用される。プードル等の犬又は他の動物もまた、刈込み装置を用いてトリミングされ得る。
【０００３】
一般的に使用される刈込み装置は、モータを用いて互いに対して相対的に動かされる２つの刃を有する切断ユニットを有する。刈込み装置は、通常、刈込み装置に対する電源としてのバッテリ又はモータを収容する筐体上に取り付けられる。特定の切断長さを定めるよう、コームユニットは、切断ユニットを覆う筐体上に取り付けられる。実際の切断長さは、コームユニットの刃の長さによって定められる。毛髪の長さは、筐体上に固定されるコームユニットが切断に対して適用されるところの皮膚に対する刃の距離と同等である。
【０００４】
他の重要なパラメータは、切断幅である。定期的に与えられる切断幅は、刃の幅によって定められ、特には頬のひげ又は頭頂部の毛髪等のより広い範囲での毛髪の切断に対して適切である。しかし口ひげのトリミング又は耳の周りの毛髪の切断等の複数の適用に対しては、切断幅は、皮膚を傷つける危険なく正確に切断するには大き過ぎ得る。大きすぎる切断幅が多少不都合である他の適用は、実際の切断長さが適切か否かを最初にテストする場合である。
【０００５】
ＵＳ６，３７８，２１０  Ｂ１は、この問題に対する解決策を提案する。パターンデザイナひげそり器（ｐａｔｔｅｒｎ  ｄｅｓｉｇｎｅｒ  ｓｈａｖｉｎｇ  ｓｙｓｔｅｍ）は、ユーザによる取付けが可能である複数のトリマを駆動するベースユニット、及び幅を変更するひげそり器付属品を有することを開示される。各トリマ付属部品は、オフセットアウトプット軸（ｏｆｆ−ｓｅｔ  ｏｕｔｐｕｔ  ｓｈａｆｔ）に対してその下部へと形成される付属部品スロットによって結合可能である従来の毛髪トリマヘッド、及び、ベースユニットネジ山（ｔｈｒｅａｄ）と対である内部トリマ付属部品ネジ山を有する内部ネジベースユニット結合端部有するトリマ付属部品筐体を有する。トリマ付属部品は、トリマ幅を除いて実質的に同一である。
【０００６】
かかる解決策の主な問題点は、不具合を起こす傾向がある、ベースユニットに対するトリマ付属部品の技術的に複雑な結合である。
【特許文献１】ＵＳ６，３７８，２１０  Ｂ１
【発明の開示】
【発明が解決しようとする課題】
【０００７】
本発明は、改善された刈込み装置及びかかる刈込み装置に対するコームユニットを与える、ことを目的とする。
【課題を解決するための手段】
【０００８】
第１の態様では、本発明は、筐体、所定の切断幅を与える１つ又はそれ以上の切断部材を有する筐体の一端における切断ユニット、及び、切断幅を低減するために切断部材を覆うよう筐体及び／又は切断ユニット上に取り付けられるカバー手段、を有する。カバー手段は、単一の部分として、あるいは、異なる部分の組み合わせとして構成され得る。
【０００９】
本発明に従った刈込み装置は、切断幅がカバー手段を用いて変えられるため、広範囲の可能な適用を提供する。カバー手段を取り付けられる刈込み装置は、多くの毛髪を除去することのない切断長さのテスト、並びに、耳の周り等における高精度を有するトリミング又は調髪、に対して特に有用である。カバー手段を取り外されている刈込み装置は、最大の切断幅を可能にする。低減された切断幅は、従来技術における多種のトリマ付属部品及びこれらの複雑な結合に対する必要性なく、カバー手段によって達成される。
【００１０】
本発明の望ましい実施例では、カバー手段は、筐体及び／又は切断ユニットに対して取付け可能であるコームユニットとして構成される。コームユニットに着脱可能に接続されるカバー手段は、最大限の切断幅が必要とされる場合、従来のコームユニットと入れ替え得る。望ましくは、コームユニットは、閉鎖隙間（ｃｌｏｓｅｄ  ｉｎｔｅｒｓｔｉｃｅｓ）を有する歯部を有して切断部材を保護する。これによって、切断されるべき毛髪はまっすぐに立つが、閉鎖隙間を有する歯を有するコームユニットの一部にはない毛髪のみは、実際にカットによって到達され、切断される。
【００１１】
カバー手段は、切断ユニット及び／又は筐体に対して取付け可能であり得るか、あるいは固定され得る。カバー手段が固定される場合、望ましい実施例では、所定の切断幅を与える位置と低減された切断幅を与える位置との間で動かされ得る。固定されることによって、カバー手段は、失われる又は忘れられることはない。続いて、該手段は望ましくは、切断ユニットへと一体化され、故にカバー手段からの損傷を防ぐ。取り付けられるカバー手段は、製造コストが低いこと、及び、異なる寸法を有する多種のカバー手段が与えられ得、１つの切断ユニットに対して異なる切断幅を定めること、という利点を有する。
【００１２】
望ましい実施例では、カバー手段は、２つ又はそれ以上の部分を有し得、低減された切断幅は該２つの部分の間の距離と実質的に同等である。該２つの部分を押すこと又は作動させること又は取り付けることによって、低減された切断幅と低減されていない切断幅との間での切り替えを容易に可能にする。
【００１３】
望ましい実施例では、カバー手段は、切断部材に対して垂直である方向において独立して可動である、各々が低減された切断幅を定める２つ又はそれ以上の部分を有する。これは、中には左利き又は右利きのユーザがいる複数の異なるユーザが同じ刈込み装置を使用する場合、あるいは、ユーザが一方の耳の周りの毛髪、続いて他方の耳の周りの毛髪を切断したい場合に、特に便利である。
【００１４】
望ましい実施例では、カバー手段は、筐体に対する切断部材の覆われた部分の位置を変更するよう、切断部材に対して実質的に平行である方向において可動である。この実施例もまた、中には左利き又は右利きのユーザがいる複数の異なるユーザが同じ刈込み装置を使用する場合、あるいは、ユーザが一方の耳の周りの毛髪、続いて他方の耳の周りの毛髪を切断したい場合に、特に便利である。
【００１５】
他の態様では、本発明は、切断幅を低減するために切断ユニットの１つ又はそれ以上の切断部材を覆うよう筐体及び／又は切断ユニットに対して取付け可能である本発明に従った刈込み装置に対するコームユニットを与える。コームユニットは、切断部材を保護する閉鎖隙間を有する歯部を有する。これは、本発明に従ったコームユニットがどの切断幅が必要とされるかに依存して従来のコームユニットと交換され得る、という利点を有する。
【発明を実施するための最良の形態】
【００１６】
本発明の望ましい一実施例は、添付の図面を参照して以下に説明される。
【００１７】
図１及び図２は、切断ユニットが上方に取り付けられるところの筐体２を有する刈込み装置１を示す。筐体２は、モータ及びバッテリ、又はモータに供給するようワイヤ６（図２参照）を介する外部電源に対する接続ユニット、を収容する。再充電可能なバッテリユニットもあり得る。図２においてより可視であるが、モータは、切断ユニットの刃３１を駆動する。大半の刈込み装置は、切断にあたってモータによって互いに対して長手方向に動かされる２つの刃を一般的に有する。モータは、スイッチ５を用いてオン及びオフにされる。本発明は、切断ユニット３の切断部材３１の構造に関わらず、いかなる刈込み装置にも適用され得る、ことは理解される。
【００１８】
刃の長さは、カバー手段４を用いて低減され得る最大限の切断幅を定める。図１及び得図２中に示される特定の例では、カバー手段４は、コームユニット４１として配置される。コームユニット４１は、取り付けられ、即ち切断ユニット３の筐体に着脱可能に接続される。コームユニット４１は、切断ユニット３に対して取り付けられる際、この場合は閉鎖隙間４１２を有する歯４１１の左部分及び右部分を用いて、切断ユニット３の刃３１を覆う。コームユニット４１は、切断される毛髪をまっすぐに立たせるが、閉鎖隙間４１２を有する歯４１１を有するコームユニット４１の左部分と右部分との間の毛髪のみは、実際には刃４１によって到達され、切断される。故に、刃４１１及び閉鎖隙間４１２を有するコームユニット４１の左部分と右部分とに間の距離は、低減された切断幅を定める。
【００１９】
図１及び図２中に示される刈込み装置は、特に、大半の毛髪を除去することなく切断長さをテストするよう有用である。実際の切断長さは、刃３１に対するコームユニット４１の位置に依存する。図１は、最低限の切断長さに対する位置におけるコームユニット４１を示し、図２は、最大限の切断長さに対する位置におけるコームユニット４１を示す。コームユニット４１の多種の位置における切断長さをテストし、どの切断長さを有して進むかを定めた後、コームユニット４１は取り外され、従来のコームユニットが刈込み装置１に取り付けられる。かかる従来のコームユニットは、最大限の切断幅を可能にする。
【００２０】
本発明に従ったコームユニット４１に対する一例は、図３及び図４においてより詳細に図示される。図３は、それを下方、即ち皮膚に対して適用される側から示す。図４は、図１及び図２と同様の斜視図で示す。コームユニット４１が取り付けられる際、切断ユニット３の刃３１を保護するよう、左側及び右側上の刃４１１の間の隙間４１２が閉鎖されていることがわかる。付属部品は、スナッピング機構によって達成され得る。コームユニット４１を切断ユニット３にわたって押す際、固定４１３は、筐体に対して平行である方向において案内され、且つこの方向に沿って多種の位置においてスナップされ得る。各スナッピング場所は、特定の切断長さに相当する。全ての既知の取付け方法が筐体２又は切断ユニット３に対してコームユニット４１を取り付けるよう使用され得る、ことは理解される。
【００２１】
更なる望ましい一実施例は、図５中に示される。この例によれば、カバー手段は、切断ユニット３へと一体化される保護体４２として構成される。保護体４２は、最大限の切断幅を可能にするよう、刃３１に隣接する切断ユニット３において皿形にされる（ｃｏｕｎｔｅｒｓｕｎｋ）。ユーザが低減された切断幅のみを有して切断することを望む場合、保護体４２は、刃３１に対して垂直である方向において押し上げられ得、使用後は、切断ユニット３へと戻され得る。保護体４２の運動は、切断ユニット３の側部上で小さなハンドルを使用すること等によって、例えば電気的又は機械的に制御され得る。
【００２２】
他の望ましい一実施例は、図６中に示される。この例によれば、カバー手段４は、カバー４３として配置される。このカバー４３は、必要な際に、切断ユニット３に対して取り付けられ得、刃３１を部分的に覆う。望ましくは、保護体４３は、スナッピング機構を使用することによって取り付けられる。しかし、当然のことながら、例えば磁石等を使う取付けの他の方法は可能である。最も望ましくは付属部品は、保護体が切断ユニット３の右手側から左手側まで及びその逆（矢印参照）に低減された切断幅の位置を変更するよう刃３１に対して平行である方向において動かされ得るようにする。これは、中には左利き又は右利きのユーザがいる複数の異なるユーザが同じ刈込み装置を使用する場合、あるいは、ユーザが一方の耳の周りの毛髪、続いて他方の耳の周りの毛髪を切断したい場合に、特に便利である。他の望ましい一実施例では、保護体５３は、着脱可能ではないが、刃３１に対して平行である方向においてシフト可能であり得る。
【００２３】
図５及び図６中に示される望ましい実施例は、高精度を有する毛髪のトリミング又は切断に対して特に便利である。図５中に示される例の１つの利点は、カバー手段４が失われ得ないあるいは忘れられ得ない、ことである。図６中に示される例の利点は、製造コストが大半の他の実施例より低いこと、異なる寸法を有する多種のカバー４３が与えられ得、故に１つの切断ユニット３に対して異なる切断幅を定めること、及び、低減された切断幅を有する刃３１の側部が自由に選択され得ること、である。
【００２４】
図７及び図８は、図５中の実施例の変形を概略的に示す。第１の保護体４２１及び第２の保護体４２２は、刃３１の下方の切断ユニット３において皿形にされ、刃３１の長さによって定められる最大限の切断幅を可能にする。追加的には、従来のコームユニット７は、切断ユニット３に対して取り付けられる。コームユニットとして配置されるカバー手段を有する実施例を除く全ての実施例が従来のコームユニットとの組み合わせにおいて使用され得る、ことは留意されるべきである。
【００２５】
ユーザは、低減された切断幅のみを使用したい場合に、押し手段４２３を有して保護体４２１及び４２２のいずれも押し上げる。保護体４２１と保護体４２２との間の距離は、切断幅を定める。望ましくは、保護体４２１と保護体４２２は、保護体４２１と保護体４２２の損傷を回避するよう切断ユニット３の内部にある。押し手段４２３は、グリップ４２４を用いて外側からユーザによって作動され得る。押し手段４２３が電気的等の他の方途においても作動され得る、ことは理解される。
【００２６】
図９及び図１０は、図５中に示される実施例の第２の変形を概略的に示す。ここでも、第１の保護体４２１及び第２の保護体４２２は、切断ユニット３において皿形にされる。しかしこの変形では、２つの保護体４２１及び４２２は、図１０中に示される通り互いに対して独立して動かされ得る。各保護体４２１，４２２は、その夫々のグリップ４２４を用いて別個に動かされ得る。グリップ４２４を用いて保護体４２１，４２２を相互に動かす代わりに、該保護体は、例えばスイッチを有して電気的に作動され得る。図９及び図１０の変形は、切断ユニットの右手側から左手側まで及びその逆に低減された切断幅の位置を変更し得る。非対称の保護体４２１及び４２２を使用することによって、これらの両側上に異なる切断幅が与えられ得る。
【００２７】
１つのみの保護体を有するより単純な変形、又は２つより多い保護体を有するより複雑な変形があり得る、ことは理解される。全ての実施例は、カバー手段の部分の数に対して修正され得る。
【００２８】
図１１乃至図１３は、単一の保護体４４に基づく本発明の更なる望ましい実施例を概略的に示す。この保護体４４は、切断ユニット３に対して取り付けられ得、他の寸法を有する他の保護体と交換可能であり得るか、あるいは、切断ユニット３に対して固定、即ち着脱不可能にされ得る。単一の保護体４４及びそれが摺動するガイダンス４４２の形状は、単一の保護体４４が３つの別個の位置を取り得るよう互いに対して適合される。該３つの位置は、切断ユニット３の右手側上の低減された切断幅に対する位置、切断ユニット３の左手側上の低減された切断幅に対する位置、及び、最大限の切断幅に対する位置、である。本例では、三角形のガイダンス４４２に合致する三角形の保護体３３が選択されており、刃３１に対して実質的に平行である全体的に運動をもたらす。ユーザは、グリップ４４１に触れ且つ望む方向において保護体４４を押すことによって手動で単一の保護体４４を動かし得る。他の実施例と同様に、保護体４４を作動させ且つ動かす他の方途は、可能である。
【００２９】
保護体に基づく全ての実施例を有して、保護体が切断ユニット３の外側又は内側に取り付けられ得る、ことは留意される。該保護体は、切断部材の両側上又は一側上にのみがあり得る。望ましくは、保護体は、作動の際、切断部材と切断されるべき毛髪との間にあるよう位置決めされるべきである。
【００３０】
例証を目的として詳細に本願中で説明される刈込み装置の望ましい実施例が当然のことながら構造、設計、適用、及び方法における多くの異なる変形を受ける、ことは留意される。多くの変形及び異なる実施例が本願中に示される本発明の概念の範囲内でなされ得るため、並びに、多くの修正が本願中の詳細の実施例においてなされ得るため、本願中の詳細が制限的ではなく例証として解釈されるべきである、こと理解される。例えば、添付の従属請求項の特性の多種の組み合わせは、本発明の範囲を逸脱することなく独立請求項の特性を有してなされ得る。更には、請求項中の全ての参照符号は、範囲を制限するものとして解釈されるべきではない。
【図面の簡単な説明】
【００３１】
【図１】第１の位置においてコームユニットとして配置されたカバー手段を有する刈込み装置の第１の実施例を図示する。
【図２】第２の位置においてコームユニットとして配置されたカバー手段を有する刈込み装置の第１の実施例を図示する。
【図３】本発明に従ったコームユニットの第１の斜視図である。
【図４】本発明に従ったコームユニットの第２の斜視図である。
【図５】可動保護物として配置されたカバー手段を有する刈込み装置の第２の実施例を図示する。
【図６】着脱可能なカバーとして配置されたカバー手段を有する刈込み装置の第３の実施例を図示する。
【図７】第１の位置における第２の実施例の第１の改良型を概略的に図示する。
【図８】第２の位置における第２の実施例の第１の改良型を概略的に図示する。
【図９】第１の位置における第２の実施例の第２の改良型を概略的に図示する。
【図１０】第２の位置における第２の実施例の第２の改良型を概略的に図示する。
【図１１】第１の位置における第４の実施例を概略的に図示する。
【図１２】第２の位置における第４の実施例を概略的に図示する。
【図１３】第３の位置における第４の実施例を概略的に図示する。
【図１】
2008502406.tif 000003
【図２】
2008502406.tif 000004
【図３】
2008502406.tif 000005
【図４】
2008502406.tif 000006
【図５】
2008502406.tif 000007
【図６】
2008502406.tif 000008
【図７】
2008502406.tif 000009
【図８】
2008502406.tif 000010
【図９】
2008502406.tif 000011
【図１０】
2008502406.tif 000012
【図１１】
2008502406.tif 000013
【図１２】
2008502406.tif 000014
【図１３】
2008502406.tif 000015
【国際調査報告】
2008502406.tif 000016
2008502406.tif 000017
2008502406.tif 000018